(57)【要約】【課題】本発明はコンクリート製のブロック体の接合方法、ならびに牽引操作具およびシール材に関し、コンクリート製のブロック体が簡単な取り扱い操作により施工効率良く接合が行え、シール材のシール材取付溝内への装着操作が容易で止水性能を確実に発揮する。【解決手段】コンクリート製の接合すべき一方のブロック本体１に着脱可能に止着する第１係止杆２と、他方のブロック本体１に着脱可能に止着する第２係止杆３を基板部４の下面に有し、操作杆５を回動可能に設けた牽引操作具６の該操作杆との間に牽引索状物７を張設し、操作杆を回動操作することによりブロック本体を相互に近接させ、該ブロック本体の対向する接合端面に設けるシール材取付溝８,８内に圧入される弾性材よりなるシール材9を介してブロック本体１,１,１・・・相互を接合する。また、本発明はシール材、および牽引操作具である。【選択図】図１
2006307480.tif 000002
【特許請求の範囲】
【請求項１】
コンクリート製のブロック本体を相互に接合するものであり、接合すべき一方のブロック本体に着脱可能に止着する第１係止杆と、他方のブロック本体に着脱可能に止着する第２係止杆を基板部の下面に有し、操作杆を回動可能に設けた牽引操作具の該操作杆との間に牽引索状物を張設し、前記操作杆を回動操作することにより前記ブロック本体を相互に近接させ、該ブロック本体の対向する接合端面に設けるシール材取付溝内に圧入される弾性材よりなるシール材を介してブロック本体相互を接合することを特徴とするコンクリート製のブロック体の接合方法。
【請求項２】
前記ブロック本体は、流水路を内部長手方向に有する水路ブロック、Ｕ字溝ブロック、側溝ブロック、暗渠ブロックの何れかであるか、または、前記水路ブロック、前記Ｕ字溝ブロック、前記側溝ブロックの流水路の上方に被せる蓋部材の何れかであることを特徴とする請求項１に記載のコンクリート製のブロック体の接合方法。
【請求項３】
前記シール材取付溝は、コンクリート製のブロック本体の対向する接合端面に臨まれる開口部と、該開口部の奥に断面先窄まりに形成される被圧接斜面部とにより形成されることを特徴とする請求項１または２に記載のコンクリート製のブロック体の接合方法。
【請求項４】
前記シール材は、合成樹脂または合成ゴム等の柔軟性を有する弾性材により形成され、接合すべきコンクリート製のブロック本体の接合端面に設ける開口部の奥に設けた断面先窄まりの被圧接斜面部を有するシール材取付溝内に挿入可能に左右の両側に形成され、前記被圧接斜面部よりも緩傾斜をなす斜面部により形成される挿入部と、該挿入部の上面および下面に前記被圧接斜面部に閉鎖状態に圧接可能に挿入方向にそれぞれ所定角度にて形成された複数個の係止舌片とにより形成されることを特徴とする請求項１,または２,３の何れか１の請求項に記載のコンクリート製のブロック体の接合方法。
【請求項５】
接合すべき一方のブロック本体の接合部の外側に結合プレートの一端をボルトにより回動可能に取付け、該結合プレートの他端には開口を下方に臨ませた係止切欠部が設けられ、該結合プレートの一端を止着する前記ボルトを中心に結合プレートを回動操作することにより前記係止切欠部を他方のブロック本体の接合部の外側に先端部を螺入したボルトに係入することにより前記結合プレートによりブロック本体相互の接合部を緊結することを特徴とする請求項１,または２,３,４の何れか１の請求項に記載のコンクリート製のブロック体の接合方法。
【請求項６】
コンクリート製のブロック体の一方のブロック本体に着脱可能に止着する第１係止杆に一端が係止される牽引索状物と、接合すべき他方のブロック本体の接合端近くの底部に設置される基板部と、該基板部の下面に突設され、前記底部内に着脱可能に止着する第２係止杆と、該第２係止杆の上部に交叉して略水平に前記基板上に配設される回動支軸により一端が枢着されて回動可能に前記基板部に取付けられる操作杆と、前記回動支軸の軸回りに該操作杆の一端側の上面に前記牽引索状物を牽引可能に設けられた係止作動片部と、前記操作杆の下面に設けられたストッパ部材とにより形成されることを特徴とするコンクリート製のブロック体の牽引操作具。
【請求項７】
合成樹脂または合成ゴム等の柔軟性を有する弾性材により形成され、接合すべきコンクリート製のブロック本体の接合端面に設ける開口部の奥に設けた断面先窄まりの被圧接斜面部を有するシール材取付溝内に挿入可能に左右の両側に形成され、前記被圧接斜面部よりも緩傾斜の斜面部により形成される挿入部と、該挿入部の上面および下面に前記被圧接斜面部に閉鎖状態に圧接可能に挿入方向にそれぞれ所定角度にて形成された複数個の係止舌片とにより形成されることを特徴とするコンクリート製のブロック体のシール材。
【発明の詳細な説明】
【技術分野】
【０００１】
本発明はコンクリート製のブロック体の接合方法、ならびに牽引操作具およびシール材に関し、コンクリート製のブロック体が、特に流水路を内部長手方向に有する水路ブロック、Ｕ字溝ブロック、側溝ブロック、暗渠ブロック等の接合端相互を接合するのに適し、簡単な取り扱い操作により多大な労力を要することなく施工効率良く且つ構造堅牢に接合が行え、しかもシール材のシール材取付溝内への装着操作が容易に行え、止水性能を確実に発揮し、さらには工期が短縮化され、工事費、設備費は削減され、製作コストを安価にするものである。
【背景技術】
【０００２】
従来、例えば農業用水を流すためのコンクリート製の水路ブロック、また、下水や雨水を流すためのＵ字溝ブロック、側溝ブロック、暗渠ブロック等は対向する接合端相互を接合するために、ブロック本体の内部の長手方向に設けた流水路を流れる流水が地中に漏出したり、地下水がブロック本体内に侵入するのを防止するために、ブロック本体相互の接合端同志の止水をはかる必要がある。
【０００３】
このように、流水が流れる流水路を内部に有するコンクリート製のブロック本体相互を接合するために、ブロック本体の接合端同志の止水をはかる止水手段としては、従来、１つの方法として接合すべきブロック本体相互の接合端の角部に周回りに設けた断面Ｌ形の溝内にセメントモルタルや合成樹脂接着剤等の充填剤を充填し、固化することにより止水をはかるものがある。また、止水をはかるために設けた他の従来方法としては、ブロック本体の接合端面に対向して設けた断面台形の溝内に弾性材により形成されたシール材を封入するものがあった（例えば特許文献１参照。）。
【特許文献１】実開昭６１−１２１２８５号公報
【発明の開示】
【発明が解決しようとする課題】
【０００４】
しかしながら、流水が流れる流水路を内部に有するコンクリート製のブロック本体相互を接合するために、接合すべきブロック本体相互の接合端の角部に周回りに設けた断面Ｌ形の溝内にセメントモルタルや合成樹脂接着剤等の充填剤を充填し、固化する上記従来の止水方法は、充填剤をブロック本体相互の接合端に設けた溝内に充填するのに充填作業が容易には行えないとともに充填剤が固化するまでには多くの時間と手間がかかる。すなわち、コンクリート製のブロック本体相互の接合作業が非能率になり、工期が長期化し、工事費、設備費は高額になり、製作コストは高価になっていた。
【０００５】
しかも、夏期または冬期の温度差が影響することにより、充填材が膨張または収縮してブロック本体の接合端との間に亀裂を生じたり、充填材の品質が劣化して亀裂を生じたりするので、ブロック本体相互の接合部の止水性が損なわれる。
【０００６】
また、ブロック本体の接合端面に対向して設けた断面台形の溝内に弾性材により形成されたシール材を封入する上記従来の止水方法は、接合すべきブロック本体相互の接合端を互いに近接し、接合部を緊結する等してシール材を溝内に圧入しなければ止水機能を確実には発揮することができなかった。しかも、接合すべきブロック本体相互を接合するのに際してブロック本体相互の接合端を互いに近接するための近接作業に熟練した技能と多くの時間と労力を必要とし、作業性が悪いので、ブロック本体相互の接合作業が非能率になり、工期が長期化し、工事費、設備費は高額になり、製作コストは高価になっていた。
【０００７】
しかも、ブロック本体相互の接合作業における近接作業時にシール材が外力を受けてずれ動き、適正位置に設置出来なかったり、めくれ上がったり、切断されたりする。また、施工後においても、ブロック本体相互が僅かでもずれ動くと、溝内に圧入したシール材との間に間隙を生じて漏水につながり、止水機能が損なわれるという不都合があった。
【０００８】
本発明は簡単な取り扱い操作により多大な労力を要することなく施工効率良く且つ構造堅牢に流水路を有する等のブロック本体相互の接合が行え、しかもブロック本体の対向する接合端に設けたシール材取付溝内へのシール材の装着操作が容易に行え、止水性能を確実に発揮し、さらには工期が短縮化され、工事費、設備費は削減され、製作コストを安価にすることを目的とする。
【課題を解決するための手段】
【０００９】
本発明の請求項１に記載の発明は、コンクリート製のブロック本体を相互に接合するものであり、接合すべき一方のブロック本体に着脱可能に止着する第１係止杆と、他方のブロック本体に着脱可能に止着する第２係止杆を基板部の下面に有し、操作杆を回動可能に設けた牽引操作具の該操作杆との間に牽引索状物を張設し、前記操作杆を回動操作することにより前記ブロック本体を相互に近接させ、該ブロック本体の対向する接合端面に設けるシール材取付溝内に圧入される弾性材よりなるシール材を介してブロック本体相互を接合することを特徴とする。
【００１０】
また、本発明の請求項２に記載の発明は、請求項１において、前記ブロック本体は、流水路を内部長手方向に有する水路ブロック、Ｕ字溝ブロック、側溝ブロック、暗渠ブロックの何れかであるか、または、前記水路ブロック、前記Ｕ字溝ブロック、前記側溝ブロックの流水路の上方に被せる蓋部材の何れかであることを特徴とする。
【００１１】
また、本発明の請求項３に記載の発明は、請求項１または２において、前記シール材取付溝は、コンクリート製のブロック本体の対向する接合端面に臨まれる開口部と、該開口部の奥に断面先窄まりに形成される被圧接斜面部とにより形成されることを特徴とする。
【００１２】
また、本発明の請求項４に記載の発明は、請求項１,または２,３の何れか１の請求項において、前記シール材は、合成樹脂または合成ゴム等の柔軟性を有する弾性材により形成され、接合すべきコンクリート製のブロック本体の接合端面に設ける開口部の奥に設けた断面先窄まりの被圧接斜面部を有するシール材取付溝内に挿入可能に左右の両側に形成され、前記被圧接斜面部よりも緩傾斜をなす斜面部により形成される挿入部と、該挿入部の上面および下面に前記被圧接斜面部に閉鎖状態に圧接可能に挿入方向にそれぞれ所定角度にて形成された複数個の係止舌片とにより形成されることを特徴とする。
【００１３】
また、本発明の請求項５に記載の発明は、請求項１,または２,３,４の何れか１の請求項において、接合すべき一方のブロック本体の接合部の外側に結合プレートの一端をボルトにより回動可能に取付け、該結合プレートの他端には開口を下方に臨ませた係止切欠部が設けられ、該結合プレートの一端を止着する前記ボルトを中心に結合プレートを回動操作することにより前記係止切欠部を他方のブロック本体の接合部の外側に先端部を螺入したボルトに係入することにより前記結合プレートによりブロック本体相互の接合部を緊結することを特徴とする。
【００１４】
また、本発明の請求項６に記載の発明は、コンクリート製のブロック体の一方のブロック本体に着脱可能に止着する第１係止杆に一端が係止される牽引索状物と、接合すべき他方のブロック本体の接合端近くの底部に設置される基板部と、該基板部の下面に突設され、前記底部内に着脱可能に止着する第２係止杆と、該第２係止杆の上部に交叉して略水平に前記基板上に配設される回動支軸により一端が枢着されて回動可能に前記基板部に取付けられる操作杆と、前記回動支軸の軸回りに該操作杆の一端側の上面に前記牽引索状物を牽引可能に設けられた係止作動片部と、前記操作杆の下面に設けられたストッパ部材とにより形成されることを特徴とする。
【００１５】
また、本発明の請求項７に記載の発明は、合成樹脂または合成ゴム等の柔軟性を有する弾性材により形成され、接合すべきコンクリート製のブロック本体の接合端面に設ける開口部の奥に設けた断面先窄まりの被圧接斜面部を有するシール材取付溝内に挿入可能に左右の両側に形成され、前記被圧接斜面部よりも緩傾斜の斜面部により形成される挿入部と、該挿入部の上面および下面に前記被圧接斜面部に閉鎖状態に圧接可能に挿入方向にそれぞれ所定角度にて形成された複数個の係止舌片とにより形成されることを特徴とする。
【発明の効果】
【００１６】
本発明は簡単な取り扱い操作により多大な労力を要することなく施工効率良く且つ構造堅牢に流水路を有する等のブロック本体相互の接合が行え、しかもブロック本体の対向する接合端に設けたシール材取付溝内へのシール材の装着操作が容易に行え、止水性能を確実に発揮し、さらには工期が短縮化され、工事費、設備費は削減され、製作コストを安価にできる。
【発明を実施するための最良の形態】
【００１７】
以下、図面に示すように実施するための最良の形態により本発明を詳細に説明する。
【００１８】
図１は本発明のコンクリート製のブロック体の接合方法の実施形態１を示す拡大断面図、図２は同じく一部切欠斜視図、図３は同じくブロック本体相互を接合した状態の水平断面図、図４は本実施形態１を構成するシール材をシール材取付溝内に圧入した止水状態の拡大断面図、図５は同じくシール材をシール材取付溝内に圧入する状態の拡大断面図である。
【００１９】
本実施形態は、コンクリート製のブロック本体１,１,１・・・を相互に接合するものであり、接合すべき一方のブロック本体１に着脱可能に止着する第１係止杆２と、他方のブロック本体１に着脱可能に止着する第２係止杆３を基板部４の下面に有し、操作杆５を回動可能に設けた牽引操作具６の該操作杆５との間に牽引索状物７を張設し、前記操作杆５を回動操作することにより前記ブロック本体１,１・・・を相互に近接させ、該ブロック本体１,１の対向する接合端面１ａ,１ｂに設けるシール材取付溝８内に圧入される弾性材よりなるシール材９を介してブロック本体１,１,１・・・相互を接合することを特徴とする。
【００２０】
また、前記ブロック本体１,１,１・・・は、図１ないし図３に示すように流水路１０を内部の長手方向Ｉに有する水路ブロックＢであるか、また、図には示さないがＵ字溝ブロック、側溝ブロック、暗渠ブロックの何れかであるか、または、前記水路ブロックＢ、前記Ｕ字溝ブロック、前記側溝ブロック等の流水路１０の上方に被せる蓋部材１１,１１,１１・・・の何れかである。
【００２１】
前記第１係止杆２は、接合すべき一方のブロック本体１の接合端Ｓ近くの底部１５に埋設されるインサートＣに螺入されたり、螺脱されるボルト２ａである。同様に前記第２係止杆３は、接合すべき他方のブロック本体１の接合端Ｓ近くの底部１５に埋設されるインサートＣに螺入されたり、螺脱されるボルト３ａである。
【００２２】
また、前記シール材取付溝８は、コンクリート製のブロック本体１,１,１・・・の対向する接合端面１ａ,１ｂに臨まれる開口部８ａと、該開口部８ａの奥に断面先窄まりに形成される被圧接斜面部８ｂとにより形成される。
【００２３】
また、前記シール材９は、合成樹脂または合成ゴム等の柔軟性を有する弾性材により形成され、接合すべきコンクリート製のブロック本体１,１,１・・・の接合端面１ａ,１ｂに設けるシール材取付溝８の開口部８ａの奥に断面先窄まりの被圧接斜面部８ｂ,８ｂを設けたシール材取付溝８内に挿入可能に左右の両側に形成され、且つ前記被圧接斜面部８ｂ,８ｂよりも緩傾斜をなす斜面部９ｂにより形成される挿入部９ａと、該挿入部９ａの上面および下面に前記被圧接斜面部８ｂ,８ｂに閉鎖状態に圧接可能に挿入方向に鋭角のそれぞれ異なる所定角度∠α,∠β,∠γにて形成された複数個の係止舌片９ｃ,９ｄ,９ｅ;９ｃ,９ｄ,９ｅとにより形成される。
【００２４】
また、断面先窄まりの前記シール材取付溝８の設置角度θ１は本実施形態１では挿入方向に向けて図５に示すように例えば１４°程度であり、また、前記シール材取付溝８内に挿入されるシール材９の挿入部９ａの設置角度θ２は緩傾斜の例えば１２°程度であるが、これに限定されるものではない。
【００２５】
また、前記係止舌片９ｃの設置角度∠αは、本実施形態１では挿入方向に向かってそれぞれ異なる鋭角の例えば６７°であり、また係止舌片９ｄの設置角度∠βは例えば７５°であり、さらに係止舌片９ｅの設置角度∠γは例えば７２°に形成される。すなわち、係止舌片９ｃ,９ｄ,９ｅの設置角度∠α,∠β,∠γは挿入方向に向かう配列順に小＜大＞中に形成される。このように、係止舌片９ｃ,９ｄ,９ｅの設置角度∠α,∠β,∠γを挿入方向に向かう順に小＜大＞中の大きさをもって形成したのは、開口部８ａからシール材取付溝８内へ挿入部９ａを挿入するのに、挿入距離Ｌ１が最も長い係止舌片９ｃをシール材取付溝８内に挿入する時に、それぞれ挿入距離Ｌ２,Ｌ３と短い後続の係止舌片９ｄ,９ｅに比較して設置角度∠αが最も小さい鋭角に形成することで挿入を容易にするのと、係止舌片９ｅ,９ｄ,９ｃをシール材取付溝８内に圧入後においては係止舌片９ｅ,９ｄ,９ｃはそれぞれ流水に最も近い順に設置角度∠γ′,∠β′,∠α′がそれぞれ鋭角の中＜大＞小の変化をもたせて配列されてシール材取付溝８,８の被圧接斜面部８ｂ,８ｂに圧接されるため、挿入距離Ｌ３が最も短い位置にて流水圧による受圧を強く受ける係止舌片９ｅが第１に流水圧を受けて拡張されて確実に止水を行い、次いで挿入距離Ｌ２が係止舌片９ｅよりも長い位置において流水圧が係止舌片９ｅよりも減圧された状態にて受圧される次段の係止舌片９ｄがさらに拡張して止水が行われ、さらには挿入距離Ｌ１が最も長い位置にて最も弱い流水圧を受圧する係止舌片９ｃにより止水が効果的に行えることになり、しかも係止舌片９ｅ,９ｄ,９ｃ；９ｅ,９ｄ,９ｃは３重構造に配列されることにより、止水機能を有効に発揮させるためである。
【００２６】
１２はブロック本体１,１,１・・・の相互の接合端Ｓを緊結するために、例えば鉄板、ステンレス板、強化プラスチック板等の剛性材により形成された結合プレートであり、この結合プレート１２は接合すべき一方のブロック本体１の接合端Ｓの外側に一端をボルト１３Ａにより回動可能に取付け、他端には開口１４ａを下方に臨ませた係止切欠部１４を設けて形成される。そして、この結合プレート１２は一端を止着する前記ボルト１３Ａを中心として矢印Ｆに示す方向に回動操作することにより前記係止切欠部１４を他方のブロック本体１の接合端Ｓの外側に先端部を螺入したボルト１３Ｂに係入することによりこの結合プレート１２によりブロック本体１,１相互の接合端Ｓ,Ｓを緊結する。
【００２７】
また、前記牽引操作具６は、コンクリート製のブロック体１,１の一方のブロック本体１の底部に着脱可能に止着する第１係止杆２に一端が係止される牽引索状物７と、接合すべき他方のブロック本体１の接合端Ｓ近くの底部１５に設置される基板部４と、該基板部４の下面に突設され、前記底部１５内に着脱可能に止着する第２係止杆３と、該第２係止杆３の上部に交叉して略水平に前記基板部４上に配設される回動支軸１６により一端が枢着されて回動可能に前記基板部４に取付けられる操作杆５と、前記回動支軸１６の軸回りに該操作杆５の一端側の上面に前記牽引索状物７を牽引可能に設けられた二股状ないしはフック状の係止作動片部１７,１７と、前記操作杆５の下面に設けられたストッパ部材１８とにより形成される。
【００２８】
また、前記牽引索状物７としては、例えば本実施形態１では図１および図２に示すように、前記第１係止杆２の上部に両端に配設した取付部１９ａ,１９ａを回動可能に取付けた略Ｕ字状の連結金具１９に一端部２０ａを結合した図示するようなチェーン２０のほか、ワイヤーロープ、ロープなどが使用される。また、この牽引索状物７の使用本数は本実施形態１では図示するように１本が使用されるが、これに限ることなく、２〜４本の複数本を用いてもよい。
【００２９】
２１は運搬したり、施工時に前記ブロック本体１を吊り上げるために、ブロック本体１の左右の外側面に設けたインサート２２にボルト部２３を螺入することにより着脱自在に所望複数個が取付けられる吊環であり、この吊環２１にロープやワイヤーロープＲの一端を結束することによりチェン・ブロックやクレーン等の吊具を用いてブロック本体１は吊り上げられ、所定位置に移動するようになっている。
【００３０】
本発明の実施形態１は以上の構成からなり、流水路１０を内部の長手方向Ｉに有する水路ブロックＢ等のコンクリート製のブロック本体１,１,１・・・を相互に接合するには、先ず、ブロック本体１の左右の外側面に設けたインサート２２にボルト部２３を螺入することによりブロック本体１の外側に所望複数個が着脱自在に取付けられる吊環２１にロープやワイヤーロープＲの一端を結束することによりチェン・ブロックやクレーン等の吊具を用いてブロック本体１を吊り上げ、トラック等に搭載して工場や倉庫から、施工現場まで運搬する。そして、同様にチェン・ブロックやクレーン等の吊具や吊環、ワイヤー・ロープＲを用いてブロック本体１をトラック等から所定位置に降ろす。
【００３１】
そして、ブロック本体１,１,１・・・を相互に接合するのには、作業者は接合すべき一方のブロック本体１の接合端Ｓ近くに第１係止杆２を着脱自在に止着し、また他方のブロック本体１には接合端Ｓに近い底部１５に牽引操作具６の基板部４の下面に有する第２係止杆３を着脱自在に止着する。その後、両端に配設した取付部１９ａ,１９ａを回動可能に取付けている略Ｕ字状の連結金具１９を介して第１係止杆２に一端部２０ａを結合した牽引索状物７としてのチェーン２０を、他方のブロック本体１の底部１５に止着した第２係止杆３を突設した牽引操作具６の操作杆５に設けている二股状ないしはフック状の係止作動片部１７,１７に係止し、張設する。
【００３２】
この時、チェーン２０の他端を二股状の係止作動片部１７,１７に係止するには、チェーン２０を構成するリンクを縦にして二股状の前記係止作動片部１７,１７の間に差し込んで係止させればよい。
【００３３】
そして、接合すべき両ブロック本体１,１の対向する接合端面１ａ,１ｂに設けられているシール材取付溝８,８の何れか一方（本実施形態１では牽引操作具６の設置側のブロック本体１のシール材取付溝８）に弾性材により形成されたシール材９の左右何れか（図では右側）の挿入部９ａを挿入することによりシール材９のシール材取付溝８,８に対する封入作業の準備をしておく。
【００３４】
こうして、接合すべきブロック本体１,１の一方のブロック本体１の接合端Ｓ近くの底部１５に基板部４から突設した第２係止杆３を係止している牽引操作具６に回動可能に取付けられた操作杆５を回動支軸１６を中心Ｏとして矢印Ｇ方向に回動操作すると、この回動支軸１６の軸回りの上方において前記操作杆５に設けた二股状の係止作動片部１７,１７の間に縦にしたリンクを差し込む等して一端を係止している牽引索状物７としてのチェーン２０は、接合すべき他方のブロック本体１の接合端Ｓ近くの底部１５に設けた第１係止杆２に他端を係止されているので、操作杆５が回動されるのに伴い回動支軸１６を中心Ｏとして係止作動片部１７,１７が回動支軸１６の軸回りに回動されて作用点となり、梃子作用が発揮されるため、牽引索状物７には矢印Ｊ１方向の引張力が働く。
【００３５】
この結果、接合すべき一方のブロック本体１は牽引索状物７が一端に取付けられている第１係止杆２を介して矢印Ｊ１方向に引っ張られ、同時に他方のブロック本体１は第２係止杆３を介して矢印Ｊ２方向に相互に対向して引っ張られるので、両ブロック本体１,１は近接し、接合端面１ａ,１ｂ相互が圧接されて行く。従って、操作杆５を回動操作するという簡単な取り扱いにより接合すべきブロック本体１,１相互の近接作業に熟練した技能を要することなく、多くの時間、労力を要せずに、効率的に行える。また、牽引操作具６は、取り扱い操作が簡単に行えるとともに、軽量にして構造が簡単であり、施工現場への運搬が容易に行える。
【００３６】
この際、本実施形態１では、操作杆５の長さ、および操作杆５の一端を回動可能に枢支するための回動支軸１６から牽引索状物７の他端を係止する係止作動片部１７,１７までの長さｌを大きく確保するようにすれば操作杆５に加える力が小さくても効率良く、かつ多大な労力を要することなく接合すべきブロック本体１,１相互を近接して近接作業を行うことができる。
【００３７】
しかも、図示するように接合すべき一方のブロック本体１に着脱可能に止着する第１係止杆２と、他方のブロック本体１に着脱可能に止着する第２係止杆３を下面に設けた基板部４に回動可能に取付けられる操作杆５との間に１本の牽引索状物７を張設することにより両ブロック本体１,１を近接し、ブロック本体１,１相互の接合端面１ａ,１ｂを圧接するようにしているが、牽引索状物７の使用本数は図示するものに限ることなく、ブロック本体１,１の幅、長さ、大きさ、重量等に応じて２〜４本の複数本を用いて牽引するようにもよい。
【００３８】
そして、前述のように予め接合すべき両ブロック本体１,１の対向する接合端面１ａ,１ｂに設けられているシール材取付溝８,８の何れか一方に、合成樹脂または合成ゴム等の柔軟性を有する弾性材よりなり、左右何れかの挿入部９ａが挿入されているシール材９は、他方の挿入部９ａが他方のブロック本体１の接続端面１ｂに設けたシール材取付溝８内に挿入されて行く。
【００３９】
この際、シール材取付溝８は、コンクリート製のブロック本体１,１の対向する接合端面１ａ,１ｂに臨まれる開口部８ａと、該開口部８ａの奥に設けられる断面先窄まりの被圧接斜面部８ｂ,８ｂとによりその設置角度θ１が本実施形態１では挿入方向に向けて図５に示すように例えば１４°程度に形成され、また、弾性材よりなるシール材９は、前記被圧接斜面部８ｂ,８ｂよりも緩傾斜、例えば１２°程度をなす先窄まりの斜面部９ｂ,９ｂによりなる挿入部９ａの上面および下面に前記被圧接斜面部８ｂ,８ｂに閉鎖状態に圧接可能に挿入方向にそれぞれ異なる鋭角の所定角度∠α,∠β,∠γの複数個の係止舌片９ｃ,９ｄ,９ｅ;９ｃ,９ｄ,９ｅが形成されているので、シール材９は挿入部９ａと係止舌片９ｃ,９ｄ,９ｅ;９ｃ,９ｄ,９ｅとが弾性変形されることにより抵抗なく所定位置に容易に挿入される。
【００４０】
しかも、前記係止舌片９ｃの設置角度∠αは、本実施形態１では挿入方向に向かってそれぞれ異なる鋭角の例えば６７°であり、また係止舌片９ｄの設置角度∠βは例えば７５°であり、さらに係止舌片９ｅの設置角度∠γは例えば７２°に形成され、係止舌片９ｃ,９ｄ,９ｅのそれぞれの設置角度∠α,∠β,∠γは挿入方向に向かう配列順に小＜大＞中に形成したので、開口部８ａからシール材取付溝８内への挿入距離Ｌ１が最も長い先端側の係止舌片９ｃをシール材取付溝８内に挿入する時に、挿入距離Ｌ２,Ｌ３がそれよりも短い後続の係止舌片９ｄ,９ｅに比較して設置角度∠αを最も小さい鋭角に形成することで抵抗力を小さくして挿入を容易にし、ずれ動きやめくれ上がりがなく、シール材９は切断されることがなく、挿入される。
【００４１】
このように上記の牽引操作具６を用いて操作杆５を回動操作するという簡単な取り扱い操作により牽引索状物７を介して接合端面１ａ,１ｂ相互を近接してブロック本体１,１,１・・・を順次相互に接合するとともに対向するブロック本体１,１相互の接合端面１ａ,１ｂに設けたシール材取付溝８,８内に弾性材により形成したシール材９の左右の挿入部９ａ,９ａを圧入して確実に止水性を発揮する。
【００４２】
そして、ブロック本体１,１,１・・・の接合後は、シール材取付溝８,８内に挿入部９ａ,９ａが圧入されたシール材９は、圧入後においては図４に示すように係止舌片９ｅ,９ｄ,９ｃは弾性変形して設置角度∠α′,∠β′,∠γ′になり、それぞれ鋭角の小＜大＞中の変化をもつので、シール材９には摩擦係止力により引張力Ｐに対するずれ動きや抜出しが確実に防止されてシール材取付溝８,８と、シール材取付溝８,８の被圧接斜面部８ｂ,８ｂに圧接される係止舌片９ｅ,９ｄ,９ｃ；９ｅ,９ｄ,９ｃとの間に間隙を生じないのと、流水に最も近い順に配設される係止舌片９ｅ,９ｄ,９ｃの設置角度∠γ′,∠β′,∠α′にそれぞれ鋭角の中＜大＞小の変化をもたせて配列されてシール材取付溝８,８の被圧接斜面部８ｂ,８ｂに圧接されるため、挿入距離Ｌ３が最も短い位置にて流水圧による受圧を受ける係止舌片９ｅが流水圧を受けて拡張されて確実に止水を行い、次いで挿入距離Ｌ２が係止舌片９ｅよりも長い位置において流水圧が係止舌片９ｅよりも減圧されて受圧される次段の係止舌片９ｄが拡張して止水を行え、さらには挿入距離Ｌ１が最も長い位置にて最も弱い流水圧による受圧を受ける係止舌片９ｃにより止水が効果的に行え、しかも、係止舌片９ｅ,９ｄ,９ｃ；９ｅ,９ｄ,９ｃは３重構造に配列されることにより、止水機能は有効に発揮される。また、シール材９は止水手段として充填材を充填する従来方法とは異なるので、夏期または冬期の温度差に影響されて容積変化が少なく、弾性を発揮するので、シール材９はカケや亀裂を生ずることがなく、止水機能を有効に発揮する。
【００４３】
そして、例えば鉄板、ステンレス板、強化プラスチック板等の剛性材により形成した結合プレート１２の一端を接合すべき一方のブロック本体１の接合端Ｓの外側にボルト１３Ａにより回動可能に取付け、この結合プレート１２を前記ボルト１３Ａを中心として矢印Ｆに示す方向に回動操作することにより結合プレート１２の他端に開口１４ａを下方に臨ませた係止切欠部１４を他方のブロック本体１の接合端Ｓの外側に先端部を螺入したボルト１３Ｂに係入し、結合プレート１２によりブロック本体１,１相互の接合部Ｓ,Ｓを緊結する。
【００４４】
従って、ブロック本体１,１相互の接合端Ｓ,Ｓを結合プレート１２により緊結力を付与した状態で緊結するので、ブロック本体１,１の対向する接合端面１ａ,１ｂに設けられているシール材取付溝８,８内に圧入されているシール材９には常時必要な圧接度が付与されるので、シール材９により有効に止水性が発揮される。
【００４５】
図６は本発明の実施形態２を示し、ブロック本体１,１,１・・・を屈曲した状態に敷設する場合に適用したものである。この実施形態２では、平面略く字状に形成した結合プレート１２′,１２″をブロック本体１,１,１・・・の屈曲部に用いてブロック本体１,１,１・・・相互を屈曲した状態に緊結し、接合するようにしたほかは、上記実施形態１と同様の構成、作用である。
【００４６】
図７に示すものは本発明の実施形態３であり、この実施形態３ではコンクリート製のブロック本体１,１,１・・・が前記実施形態１のように流水路１０を内部の長手方向Ｉに有する水路ブロックＢとは異なり、水路ブロックＢの流水路１０の上方に被せる蓋部材１１,１１,１１・・・相互を近接して被せる場合に、上述の牽引操作具６を用いて接合すべき一方のブロック本体１としての蓋部材１１に着脱可能に止着する第１係止杆２と、他方のブロック本体１としての蓋部材１１に着脱可能に止着する第２係止杆３を基板部４の下面に有し、操作杆５を回動可能に設けた牽引操作具６の該操作杆５との間に牽引索状物７を張設し、前記操作杆５を回動操作することにより前記蓋部材１１,１１を相互に近接させて接合し、蓋部材１１,１１の覆工作業を効率良く行うようにするほかは前記実施形態１と同様の構成、作用である。
【００４７】
上記実施形態１ないし３では牽引操作具６の操作杆５は、手動操作により回動操作されるようにしたが、これに限らずモータ、シリンダ等を駆動源として自動的に操作杆５を回動操作することにより、操作杆５の梃子作用により牽引索状物７を介してブロック本体１,１相互を対向して牽引し、ブロック本体１,１,１・・・相互を接合することも本発明の適用範囲である。
【産業上の利用可能性】
【００４８】
本発明は簡単な取り扱い操作により多大な労力を要することなく施工効率良く且つ構造堅牢に流水路を有する等のブロック本体相互の接合が行え、しかもブロック本体の対向する接合端に設けたシール材取付溝内へのシール材の装着操作が容易に行え、止水性能を確実に発揮し、さらには工期が短縮化され、工事費、設備費は削減され、製作コストを安価にする用途・機能に適する。
【図面の簡単な説明】
【００４９】
【図１】図１は本発明のコンクリート製のブロック体の接合方法の実施形態１を示す拡大断面図である。
【図２】図２は同じく一部切欠斜視図である。
【図３】図３は同じくブロック本体相互を接合した状態の平面図である。
【図４】図４は本実施形態１を構成するシール材をシール材取付溝内に圧入した止水状態の拡大断面図である。
【図５】図５は同じくシール材をシール材取付溝内に圧入する状態の拡大断面図である。
【図６】図６は本発明の実施形態２を示し、ブロック本体としての水路ブロックを屈曲した状態に敷設した水平断面図である。
【図７】図７は本発明の実施形態３を示し、水路ブロック等の上方に被せる蓋部材の覆蓋作業を牽引操作具により行う場合を示した斜視図である。
【符号の説明】
【００５０】
１      ブロック本体
１ａ    接合端面
１ｂ    接合端面
２      第１係止杆
３      第２係止杆
４      基板部
５      操作杆
６      牽引操作具
７      牽引索状物
８      シール材取付溝
８ａ    開口部
８ｂ    被圧接斜面部
９      シール材
９ａ    挿入部
９ｂ    斜面部
９ｃ    係止舌片
９ｄ    係止舌片
９ｅ    係止舌片
１０    流水路
１２    結合プレート
１３Ａ  ボルト
１３Ｂ  ボルト
１４    係止切欠部
１７    係止作動片部
２０    チェーン
Ｂ      水路ブロック
Ｓ      接合端
【図１】
2006307480.tif 000003
【図２】
2006307480.tif 000004
【図３】
2006307480.tif 000005
【図４】
2006307480.tif 000006
【図５】
2006307480.tif 000007
【図６】
2006307480.tif 000008
【図７】
2006307480.tif 000009